(57)【特許請求の範囲】
【請求項１】
便器本体の後方に設置され、洗浄水を貯留する洗浄水タンクを収納するトイレ用収納体において、
上記便器本体の後方に立設して配置され、上記洗浄水タンクを設置するためのタンク設置スペースを形成するタンク前パネルと、
このタンク前パネルの側方に立設して配置されるとともに、上記タンク設置スペースに接した収納スペースを形成するキャビネット前パネルを有するキャビネットと、
上記便器本体の後部に、上記洗浄水タンクを載置するタンク載置部と、このタンク載置部と上記便器本体とを連結する連結部とを有するタンク取付部と、
上記タンク前パネルを上記キャビネット前パネルに対して所定の位置に組み付けられるように位置決めする位置決め手段と、
を備え、
上記キャビネット前パネルは、その上記タンク前パネル側の１辺が、上記タンク前パネルの１辺にオーバーラップ可能であり、かつ上記収納スペースを変更可能に配置され、
上記タンク前パネルは、上記連結部に位置決め嵌合される切欠きを有し、上記キャビネット前パネル側に対して移動可能に上記タンク取付部に組み付けられ、
上記位置決め手段は、上記タンク取付部と上記洗浄水タンクの底部との間に介設された状態にて該タンク取付部に取り付けられるとともに、上記タンク前パネルをトイレ室の壁面に対して所定の距離で設置する補強部材であること、
を特徴とするトイレ用収納体。
【請求項２】
便器本体の後方に設置され、洗浄水を貯留する洗浄水タンクを収納するトイレ用収納体において、
上記便器本体の後方に立設して配置され、上記洗浄水タンクを設置するためのタンク設置スペースを形成するタンク前パネルと、
このタンク前パネルの一側方に立設して配置されるとともに、上記タンク設置スペースに接した第１収納スペースを形成する第１キャビネット前パネルを有する第１キャビネットと、
上記タンク前パネルの他側方に立設して配置されるとともに、上記タンク設置スペースに接した第２収納スペースを形成する第２キャビネット前パネルを有する第２キャビネットと、
上記便器本体の後部に、上記洗浄水タンクを載置するタンク載置部と、このタンク載置部と上記便器本体とを連結する連結部とを有するタンク取付部と、
上記タンク前パネルを上記第１及び第２キャビネット前パネルに対して所定の位置に組み付けられるように位置決めする位置決め手段と、
を備え、
上記第１及び第２キャビネット前パネルは、それらの上記タンク前パネル側の１辺が、上記タンク前パネルの両側の辺にそれぞれオーバーラップ可能であり、かつ上記第１及び第２収納スペースを変更可能に配置され、
上記タンク前パネルは、上記連結部に位置決め嵌合される切欠きを備え、上記第１及び第２キャビネット前パネル側に対して移動可能に上記タンク取付部に組み付けられ、
上記位置決め手段は、上記タンク取付部と上記洗浄水タンクの底部との間に介設された状態にて該タンク取付部に取り付けられるとともに、上記タンク前パネルをトイレ室の壁面に対して所定の距離で設置する補強部材であること、
を特徴とするトイレ用収納体。
【請求項３】
請求項１または請求項２に記載のトイレ用収納体において、
上記補強部材は、上記タンク取付部上にて、上記タンク前パネルを移動させる方向である取付方向に対してスライド可能に取り付けられているトイレ用収納体。
【請求項４】
請求項３に記載のトイレ用収納体において、
上記補強部材と洗浄水タンクの底部との間に、該補強部材を上記取付方向にスライド可能にガイドするガイド手段を設けたトイレ用収納体。
【請求項５】
請求項１または請求項２に記載のトイレ用収納体を組み立てる方法において、
上記洗浄水タンクの底部に上記補強部材を取り付ける第１工程と、
上記洗浄水タンクと補強部材を上記タンク取付部に載置し、該洗浄水タンク及び補強部材をタンク取付部に取り付ける第２工程と、
上記キャビネットを設置する第３工程と、
上記便器本体に上記タンク前パネルを組み付けて、該便器本体と一体にタンク前パネルをキャビネット前パネル側へ移動して、タンク前パネルをキャビネット前パネルに当接させて位置決めする第４工程と、
を備えたことを特徴とするトイレ用収納体の組立方法。
【発明の詳細な説明】
【０００１】
【発明の属する技術分野】
本発明は、便器本体の後方に配置された洗浄水タンクなどを収納するトイレ用収納体及びその組立方法に関する。
【０００２】
【従来の技術】
従来より、トイレ室に据え付けた便器本体の後部に、キャビネット状の収納体を設け、この中に洗浄水タンクを収納するようにしたトイレ用収納体が知られている（特開平２−１２５０３９号公報）。
【０００３】
こうしたトイレ用収納体は、運搬性や施工性を考慮すれば、トイレ室で組立できる構成とすることが望ましく、また、トイレ室の異なった長さの間口に適用することが必要である。これに対処するために、従来のトイレ用収納体は、便器本体の後方に設置された前面パネルと、この前面パネルの両側にそれぞれ設置した側面板と、手洗カランを有する上面板とを備え、上記側面板の間に長さを変更できるステーにより両側面板を支持し、このステーの長さ及び前面パネルの幅を間口の長さに合わせるようにして、異なった間口のトイレ室に対応している。
【０００４】
【発明が解決しようとする課題】
しかし、従来の技術では、前面パネルの寸法を間口の長さに合わせるために、前面パネルを切断する作業が必要となり、また、切断した端面の部分を装飾するために新たなに装飾部材を貼り付けたりするなどの面倒な作業が必要であるという問題があった。
【０００５】
本発明は、上記従来の技術の問題を解決するものであり、異なった長さの間口のトイレ室に簡単に設置することができるトイレ用収納体及びその組立方法を提供することを目的とする。
【０００６】
【課題を解決するための手段およびその作用・効果】
上記課題を解決するためになされた第１の発明は、
便器本体の後方に設置され、洗浄水を貯留する洗浄水タンクを収納するトイレ用収納体において、
上記便器本体の後方に立設して配置され、上記洗浄水タンクを設置するためのタンク設置スペースを形成するタンク前パネルと、
このタンク前パネルの側方に立設して配置されるとともに、上記タンク設置スペースに接した収納スペースを形成するキャビネット前パネルを有するキャビネットと、
上記便器本体の後部に、上記洗浄水タンクを載置するタンク載置部と、このタンク載置部と上記便器本体とを連結する連結部とを有するタンク取付部と、
上記タンク前パネルを上記キャビネット前パネルに対して所定の位置に組み付けられるように位置決めする位置決め手段と、
を備え、
上記キャビネット前パネルは、その上記タンク前パネル側の１辺が、上記タンク前パネルの１辺にオーバーラップ可能であり、かつ上記収納スペースを変更可能に配置され、
上記タンク前パネルは、上記連結部に位置決め嵌合される切欠きを有し、上記キャビネット前パネル側に対して移動可能に上記タンク取付部に組み付けられ、
上記位置決め手段は、上記タンク取付部と上記洗浄水タンクの底部との間に介設された状態にて該タンク取付部に取り付けられるとともに、上記タンク前パネルをトイレ室の壁面に対して所定の距離で設置する補強部材であること、
を特徴とする。
【０００７】
第１の発明にかかるトイレ用収納体は、便器本体の後方に配置されて洗浄水タンクを収納して、該洗浄水タンクを便器本体側から隠している。すなわち、トイレ用収納体は、タンク前パネル及びキャビネットを備えている。タンク前パネルは、便器本体の後方に立設配置されて、洗浄水タンクを設置するためのタンク設置スペースを形成する。また、このタンク前パネルの側方には、キャビネット前パネルが配置される。このキャビネット前パネルは、上記タンク設置スペースに接した収納スペースを形成する。この収納スペースには、トイレットペーパなどの便器の使用に供する物が収納できる。
【０００８】
上記キャビネット前パネルにおけるタンク前パネル側の１辺は、タンク前パネルの１辺にオーバーラップ可能に配置されている。この構成により、キャビネット前パネルとタンク前パネルの両辺がオーバーラップする幅を変更することにより、収納スペースの大きさ及び、その間口の幅を変更することできる。したがって、間口の幅に対応してトイレ用収納体の幅を変更することができる。
【０００９】
第２の発明にかかるトイレ用収納体は、タンク前パネルの両側に第１及び第２キャビネットを備えている。第１及び第２キャビネットのそれぞれの第１及び第２キャビネット前パネルは、タンク前パネルの１辺にオーバーラップ可能になっている。したがって、便器本体の後方の中央に配置したタンク前パネルに対し、その両側に位置する第１及び第２キャビネット前パネルとのオーバーラップの幅を変更することにより、トイレ用収納体は、第１及び第２キャビネットの両側から間口の変更ができ、しかも対称性を有した優れたデザインで配置することができる。
【００１０】
また、タンク前パネルを便器本体の後部に好適に配置する構成として、便器本体の後部に洗浄水タンクを載置するタンク取付部及び連結部を設けるとともに、このタンク前パネルにタンク取付部の連結部に位置決め嵌合する切欠きを形成する。これにより、上記連結部に切欠きを位置合わせして嵌合させれば、タンク前パネルを便器本体に容易に固定することができる。しかも、このように確実に固定したタンク前パネルを便器本体とともにずらしてキャビネット前パネルの１辺に押しつければ、タンク前パネル及びキャビネット前パネルを同時に位置決め固定することができ、取付性に優れている。
【００１１】
また、トイレ収納体を好適に組み立てるための好適な構成として、タンク前パネルをキャビネット前パネルに対して強く押しつけすぎないような構成をとることが好ましい。すなわち、便器本体は、その重量が大きいことから、タンク前パネルとともにキャビネット前パネル側へ移動させる際に、大きな力がタンク前キャビネットとキャビネット前パネルとの間に加わって損傷しやすい。これを防止するために、タンク前パネルがキャビネット前パネルへ向かう方に対して位置決めする位置決め手段を設ける。この位置決め手段により、便器本体と一体でタンク前パネルを移動させるときに、タンク前パネルがキャビネット前パネルに強く押しつけられるような移動を規制し、タンク前パネルやキャビネット前パネルが変形したり、損傷したりするのを避けることができる。
【００１２】
このような位置決め手段の好適な態様として、タンク取付部と洗浄水タンクの底部との間に介設された状態にて該タンク取付部に取り付けられる補強部材を設け、この補強部材により、上記タンク前パネルをトイレ室の壁面に対して所定の距離で設置するように構成することができる。この場合において、補強部材は、タンク取付部に対してスライド可能に設置することが好ましく、これにより、便器本体の寸法誤差によりタンク取付部に対する固定位置が変動しても、補強部材の長さによって定める位置にタンク前パネルを確実に取り付けることができる。この構成では、補強部材をガイドするガイド手段を設けることにより、補強部材を取付方向に確実にスライドさせることができる。
【００１３】
第３の発明は、第１または第２の発明にかかるトイレ用収納体を組み立てる方法において、
上記洗浄水タンクの底部に上記補強部材を取り付ける第１工程と、
上記洗浄水タンクと補強部材を上記タンク取付部に載置し、該洗浄水タンク及び補強部材をタンク取付部に取り付ける第２工程と、
上記キャビネットを設置する第３工程と、
上記便器本体に上記タンク前パネルを組み付けて、該便器本体と一体にタンク前パネルをキャビネット前パネル側へ移動して、タンク前パネルをキャビネット前パネルに当接させて位置決めする第４工程と、
を備えたことを特徴とする。
このような組み立て工程によりトイレ用収納体を簡単に組み付けることができる。
【００１４】
【発明の実施の形態】
以上説明した本発明の構成・作用を一層明らかにするために、以下本発明の好適な実施例について説明する。
【００１５】
図１は本発明の一実施の形態にかかるトイレ用収納体を設置したトイレ室内を示す斜視図、図２は図１の２−２線に沿った断面図である。図１及び図２において、洋式便器１０は、ボール部１１を有する便器本体１２上に便座１３及び便蓋１４を備えており、トイレ室内のほぼ中央に設置されている。この洋式便器１０の後部であり、つまりトイレ室内の奥側には、トイレ用収納ボックス４０が設けられている。
【００１６】
トイレ用収納ボックス４０は、内部に洗浄水タンク２０（図２）や配管を配置するとともにトイレットペーパなどを収納するものであり、洋式便器１０の後部に立設配置された前面パネル５０と、前面パネル５０（タンク前パネル）の左右両側に配置された右キャビネット６０Ｒ及び左キャビネット６０Ｌと、手洗カウンタ８０とを備えている。
【００１７】
図３は洗浄水タンク２０や前面パネル５０を設置する前における便器本体１２の後部付近を示す斜視図である。便器本体１２の後部には、２点鎖線で示す洗浄水タンク２０を固定するためのタンク取付部１５が一体に形成されている。
【００１８】
図４は図３のタンク取付部１５の付近の拡大図である。タンク取付部１５は、その上面にタンク載置部１５ａを有する支持基部１５ｂと、この支持基部１５ｂと便器本体１２とを連結する連結部１５ｃとを備えている。上記タンク載置部１５ａは、洗浄水タンク２０を載置する部位であり、その両側にフランジ部１５ｄ，１５ｄを備えている。フランジ部１５ｄ，１５ｄには、ボルト（図示省略）により洗浄水タンク２０を固定するための取付穴１５ｅ，１５ｅが穿設されている。また、上記連結部１５ｃの両側には、挿入スペース１５ｆ，１５ｆが形成されている。この挿入スペース１５ｆ，１５ｆは、フランジ部１５ｄ，１５ｄと便器本体１２の後部との間に形成されており、上記前面パネル５０を挿入するための間隙である。また、タンク載置部１５ａ及び支持基部１５ｂには、洗浄水タンク２０の洗浄水をボール部１１（図１参照）に導くための通水孔１５ｇが形成されている。
【００１９】
図２に戻り、前面パネル５０は、便器本体１２の後部に設置される化粧板であり、洗浄水タンク２０を設置するためのタンク設置スペース５０Ｓを形成している。また、図３に示すように、前面パネル５０には、その下部中央に挿入用切欠き５２が形成されている。この挿入用切欠き５２は、タンク取付部１５の連結部１５ｃの上方から挿入されるように形成されており、その側縁部５２ａ，５２ａにより連結部１５ｃの両側を挟持する。また、前面パネル５０は、挿入スペース１５ｆ，１５ｆに挿入されたときに、その間隙ｗ１よりわずか薄い板厚ｔ１に形成されている。なお、便器本体１２の後部には、該便器本体１２の上面より後方に向けてせり上がっている傾斜部１５ｈが形成されており、この傾斜部１５ｈは、挿入用切欠き５２の上縁部５２ｂを隠すように形成されている。
【００２０】
また、図１に示すように、前面パネル５０の両側には、右キャビネット６０Ｒ及び左キャビネット６０Ｌがそれぞれ配置されている。
【００２１】
図５は右キャビネット６０Ｒを示す斜視図、図６は図５の６−６線に沿った断面図である。右キャビネット６０Ｒは、前板部６１Ｒ（キャビネット前パネル）と、天板部６２Ｒと、側板部６３Ｒとを備え、これらにより収納スペース６０ＲＳが形成されている。また、収納スペース６０ＲＳは、タンク設置スペース５０Ｓ（図２参照）側が開放されており、上収納棚６５及び下収納棚６６を上下に配置している。
【００２２】
上収納棚６５は、収納スペース６５ａを有し、前面を上扉６５ｂで開閉自在になっており、その背板部６５ｃがトイレ室の奥壁面ＴＷａ（図６）に当たるように天板部６２Ｒの奥行きと同じ長さになっている。一方、下収納棚６６は、上収納棚６５と同様に、収納スペース６６ａを有し、前面を下扉６６ｂで開閉自在になっており、その背板部６６ｃが天板部６２Ｒの奥行きと同じ長さになっている。上記右キャビネット６０Ｒは、背板部６５ｃ，６６ｃでトイレ室の奥壁面ＴＷａに固定ねじ６７ａ，６７ｂでねじ止め固定されている。
【００２３】
一方、図７の斜視図に示すように、左キャビネット６０Ｌは、前板部６１Ｌ（キャビネット前パネル）と、天板部６２Ｌと、側板部６３Ｌとを備え、内部に収納スペース６０ＬＳ（図２参照）が形成されている。収納スペース６０ＬＳは、図２に示す給水管３０や排便管３１などを配置するスペースであり、前板部６１Ｌに設けた点検用扉６８を開くことにより洋式便器１０側に開放されるようになっている。上記左キャビネット６０Ｌは、天板部６２Ｌの内面とトイレ室の奥壁面ＴＷａとの間に介在するＬ字形取付金具６９ａと、側板部６３Ｌの内面とトイレ室の奥壁面ＴＷａとの間に介在するＬ字形取付金具６９ｂにより奥壁面ＴＷａにねじ止め固定されている。
【００２４】
また、図２の要部である図８に示すように、右及び左キャビネット６０Ｒ，６０Ｌの前板部６１Ｒ，６１Ｌは、前面パネル５０に対してオーバーラップ可能なように、つまり、その前内側縁部６１Ｒａ，６１Ｌａが、前面パネル５０の右側縁部５３ｃ及び左側縁部５３ｄにそれぞれオーバーラップするように前面パネル５０に対して奥側に配置されている。この構成において、右及び左キャビネット６０Ｒ，６０Ｌは、それ自体が独立しているので、図９に示すように、右及び左キャビネット６０Ｒ，６０Ｌの設置位置を変更することにより、上記オーバーラップしている長さをＬ１からＬ２に変えることができる。
【００２５】
さらに、図１に戻り、前面パネル５０の上部には、手洗カウンタ８０が設置されている。手洗カウンタ８０は、右及び左キャビネット６０Ｒ，６０Ｌの内側にわたって設置されている。この手洗カウンタ８０は、給水管３０（図２）に分岐接続された手洗カラン８１と、この手洗カラン８１から吐出した洗浄水を受ける手洗シンク８２とを備えている。
【００２６】
次に、洋式便器１０及びトイレ用収納ボックス４０をトイレ室に設置する施工作業について説明する。図１０はトイレ室の床面ＴＦを見た図であり、そのコーナーに給水管３０及び排便管３１が施工されている。まず、床面ＴＦに型紙Ｓｈを敷設した後に、床面ＴＦの所定位置に前部固定片１８ａ及び後部固定片１８ｂを固定ビス１８ｃ及び座金１８ｄを用いてそれぞれ固定する。
【００２７】
続いて、図１１に示すように、排便管３１に排水ジョイント３２の一方の口をホースバンド３３ａを用いて固定し、さらに図１２に示すように、排水ジョイント３２の他方の口を便器本体１２の便器排出口１６ａにホースバンド３３ｂを用いて固定する。
【００２８】
次に、便器本体１２のタンク取付部１５に洗浄水タンク２０を取り付ける。図１３は洗浄水タンク２０を取り付ける前の状態を示す。すなわち、洗浄水タンク２０の下部のボルト２２ｄを取付穴１５ｅ，１５ｅに挿入するとともに、給水口２３を通水孔１５ｇに挿入して、洗浄水タンク２０の下面をタンク載置部１５ａに載置する。その後、三角パッキン２２ａ、座金２２ｂ及びナット２２ｃを用いてボルト２２ｄに締結する。これにより、洗浄水タンク２０がタンク取付部１５に固定される。続いて、給水管３０（図２参照）に連結管（図示省略）を介して洗浄水タンク２０内のボールタップ（図示省略）に接続する。
【００２９】
続いて、右及び左キャビネット６０Ｒ，６０Ｌを設置する。図１４は右及び左キャビネット６０Ｒ，６０Ｌを設置する前の状態を示す斜視図である。図１４及び図６に示すように、右キャビネット６０Ｒは、天板部６２Ｒ及び側板部６３Ｒの奥側の１辺及び背板部６５ｃ，６６ｃをトイレ室の奥壁面ＴＷａに押しつける。この状態にて、収納スペース６５ａから、固定ねじ６７ａを取付穴６５ｄに通して背板部６５ｃを奥壁面ＴＷａに固定する。同様に、収納スペース６６ａから、固定ねじ６７ａを取付穴６６ｄに通して奥壁面ＴＷａに背板部６６ｃを固定する。これにより、右キャビネット６０Ｒがトイレ室に設置される。
【００３０】
一方、図１４及び図７に示すように、左キャビネット６０Ｌは、Ｌ字形取付金具６９ａの一片を天板部６２Ｌに押し当てるとともにその他片を奥壁面ＴＷａに押し当てて取付ねじ６９ｃで固定する。また、Ｌ字形取付金具６９ｂの一片を側板部６３Ｌの内面に押し当てるとともに他片を奥壁面ＴＷａに押し当てて取付ねじ６９ｄで固定する。このとき、点検用扉６８を開いてそのスペースを利用すれば、容易にねじ止め作業を行なうことができる。これにより、左キャビネット６０Ｌがトイレ室に設置される。
【００３１】
続いて、図１５に示すように、前面パネル５０を便器本体１２の後部に取り付けるが、その前の作業として、前面パネル５０に洗浄水タンク２０の付属部品の取り付ける。すなわち、図１６に示すように、前面パネル５０のパネル裏面５１ｂにタンク固定金具２４をビス２４ａで固定するとともに、図１７に示すように、前面パネル５０のパネル表面５１ａ側からレバーハンドル２５のスピンドル２５ａを角穴５４に挿入し、そしてレバーハンドル２５をパッキン２５ｂ及びナット２５ｃで角穴５４に固定する。
【００３２】
そして、図１５に示すように、便器本体１２を手前に引き出し、この状態にて、前面パネル５０を便器本体１２の後部に取り付ける。すなわち、図３に示すように前面パネル５０を便器本体１２の後部と洗浄水タンク２０との間に差し込む。このとき、図１８に示すように、タンク固定金具２４により洗浄水タンク２０の上端部を固定する。
【００３３】
また、前面パネル５０の取り付けにあたっては、図３及び図１９に示すように挿入用切欠き５２をタンク取付部１５の連結部１５ｃに位置合わせし、さらに、前面パネル５０が右キャビネット６０Ｒの前板部６１Ｒ及び左キャビネット６０Ｌの前板部６１Ｌより手前であり、しかもオーバーラップするように位置合わせして、前面パネル５０を差し込む。これにより、前面パネル５０は、挿入スペース１５ｆ，１５ｆ内に挿入されるとともに、挿入用切欠き５２が連結部１５ｃを跨いで、便器本体１２の後部に取り付けられる。
【００３４】
続いて、図１９に示すように、便器本体１２を矢印方向ｄ２へ移動する。これにより、前面パネル５０は、便器本体１２の後部に押されて、右キャビネット６０Ｒの前板部６１Ｒ及び左キャビネット６０Ｌの前板部６１Ｌに押しつけられ、この間の隙間がなくなる。
【００３５】
そして、図２０に示すように、便器本体１２の下部に固定ビス７０ａ，７０ａを用いて前部固定片１８ａ及び後部固定片１８ｂに固定することにより、便器本体１２が床面ＴＦに固定され、さらに化粧キャップ７１ａ，７１ａを被せる。
【００３６】
続いて、洗浄水タンク２０の付属部品、つまりレバーハンドル２５にフロート弁などを設置した後に、手洗カウンタ８０の設置及びその配管接続や、便座１３や便蓋１４などの設置などの作業を行なうことにより、洋式便器１０及びトイレ用収納ボックス４０の施工が終了する。
【００３７】
上記トイレ用収納ボックス４０は、便器本体１２の後部に配置されて洗浄水タンク２０を収納して、該洗浄水タンク２０を便器本体１２側から隠している。つまり、洗浄水タンク２０やその配管などがトイレ用収納ボックス４０に収納されているから優れたデザインとすることができる。しかも、右キャビネット６０Ｒの上及び下収納棚６５，６６には、トイレットペーパなどを収納できるから、トイレ室内の整理も容易である。また、左キャビネット６０Ｌには、点検用扉６８が設けられており、この点検用扉６８を開ければ、配管や水漏れなどの点検も容易である。
【００３８】
また、図８及び図９に示すように、右及び左キャビネット６０Ｒ，６０Ｌは、間口方向の設置位置を変更することができ、つまり、前面パネル５０における右側縁部５３ｃ及び左側縁部５３ｄに、前内側縁部６１Ｒａ及び前内側縁部６１Ｌａにオーバーラップさせる幅をＬ１またはＬ２へと変更することができる。
【００３９】
図２１及び図２２は図１及び図２に示すより狭い間口に設置したトイレ用収納ボックス４０を示す。すなわち、図２１及び図２２に示すトイレ用収納ボックス４０は、便器本体１２の後方に配置した前面パネル５０に対し、その両側に配置した右及び左キャビネット６０Ｒ，６０Ｌの前板部６１Ｒ，６１Ｌとのオーバーラップの幅をＬ２に変更することにより、収納スペース６０ＲＳ，６０ＬＳの大きさ、及びその間口を変更することができる。これにより、間口の異なったトイレ室に対応することができ、しかも間口に合わせるために前面パネル５０の端部を切断するなどの作業も不要となり、施工作業が簡単である。
【００４０】
また、洗浄水タンク２０は、便器本体１２の後部のタンク取付部１５に設置されているから、トイレ用収納ボックス４０に別途、洗浄水タンク２０を設置するための構造を必要とせず、構造が簡単になる。
【００４１】
さらに、前面パネル５０には、挿入用切欠き５２が形成されており、この挿入用切欠き５２を連結部１５ｃに位置合わせして嵌合させれば、便器本体１２に容易に固定することができる。しかも、このように固定した前面パネル５０は、図１９に示すように便器本体１２と一体に移動して、右及び左キャビネット６０Ｒ，６０Ｌの前板部６１Ｒ，６１Ｌに押しつければ、便器本体１２の後部と上記前板部６１Ｒ，６１Ｌとにより挟持された状態で簡単に位置決め固定することができ、取付性に優れている。
【００４２】
しかも、便器本体１２の後部には、傾斜部１５ｈが形成されており、この傾斜部１５ｈが前面パネル５０の挿入用切欠き５２の上縁部５２ｂを隠すから、該挿入用切欠き５２を形成することによる意匠性を損なうこともない。
【００４３】
図２３は他の実施の形態にかかるトイレ用収納体を一部分解して示す斜視図である。この実施の形態では、前面パネル１５０を便器本体１１２で押して位置決めするときに前面パネル１５０などの損傷を防止するための構成を備えている。図２３において、洋式便器１１０の後方には、洗浄水タンク１２０が設置されている。この洗浄水タンク１２０は、前面パネル１５０と右及び左キャビネット１６０Ｒ，１６０Ｌで囲まれたタンク設置スペース１５０Ｓに配置され、便器本体１１２側から隠されている。この洗浄水タンク１２０の上方であって、前面パネル１５０、右及び左キャビネット１６０Ｒ，１６０Ｌの上部には手洗カウンタ１８０が設置されている。
【００４４】
図２４は洗浄水タンク１２０を取り付ける前におけるタンク取付部１１５の付近を示す斜視図である。タンク取付部１１５は、上述したようにタンク載置部１１５ａを備えており、このタンク載置部１１５ａに取付穴１１５ｅ，１１５ｅ及び通水孔１１５ｇが形成されている。取付穴１１５ｅ，１１５ｅ及び通水孔１１５ｇの周囲には、洗浄水タンク１２０を位置決めするための位置決め座が環状に形成されている。
【００４５】
また、タンク載置部１１５ａの上には、洗浄水タンク１２０との間で挟まれるように補強部材１３０が配置されている。この補強部材１３０は、前面パネル１５０とトイレ室の奥壁面ＴＷａ（図２６参照）との間の距離を確保するための部材である。図２５は補強部材１３０を示す斜視図、図２６は補強部材１３０をタンク載置部１１５ａに取り付けた状態を説明するための平面図、図２７は図２６のａ−ａ線に沿った半断面図及びその拡大図である。図２５において、補強部材１３０は、板本体１３１を備えている。板本体１３１は、金属製（または樹脂製）の薄板から形成されており、その外周部が折曲されている。すなわち、板本体１３１の前端部に、前面パネル１５０に当接する折曲当接部１３１ａが上方に折曲形成され、後端部にトイレ室の奥壁面ＴＷａに当接する折曲当接部１３１ｂが上方に折曲形成され、さらに、両端部にタンク載置部１１５ａに載置される台座辺部１３１ｃ，１３１ｄが下方に折曲形成されている。この板本体１３１の長さＬは、右及び左キャビネット１６０Ｒ，１６０Ｌの奥行きの長さとほぼ同じに形成されている。また、板本体１３１のほぼ中央部には、洗浄水タンク１２０の給水口１２３（図２７参照）を通水孔１１５ｇにまで挿入するための連通穴１３１ｅが形成されている。連通穴１３１ｅは長穴になっており、給水口１２３に対してスライド可能になっている。さらに、板本体１３１には、連通穴１３１ｅの両側及び中心軸に沿ってガイド穴１３１ｆが形成されている。ガイド穴１３１ｆは、図２７に示すように、洗浄水タンク１２０の下部から突設された位置決め突起１２５を貫挿してガイドするための穴である。したがって、連通穴１３１ｅ及びガイド穴１３１ｆが長穴になっていることから、補強部材１３０は、矢印方向ｄ３へスライド可能にガイドされるようになっている。なお、図２７（Ｂ）に示すように位置決め突起１２５の先端部はネジになっており、ナット１２５ａを締結することにより、補強部材１３０をスライド可能に支持するとともに、洗浄水タンク１２０の底部から脱落しないように止めている。
【００４６】
本実施の形態では、第１の実施の形態とほぼ同じ組み立て作業を行なうが、前面パネル１５０を組み付ける前に、補強部材１３０を取り付ける点が異なる。まず、図２７に示すように、洗浄水タンク１２０のタンク底部１２０ａに補強部材１３０を取り付ける。つまり、タンク底部１２０ａから突設した給水口１２３及び位置決め突起１２５を補強部材１３０の連通穴１３１ｅ、ガイド穴１３１ｆにそれぞれ挿入し、その後、位置決め突起１２５をナット１２５ａで締結することによりタンク底部１２０ａに補強部材１３０をスライド自在に取り付ける。次に、補強部材１３０を取り付けた洗浄水タンク１２０を便器本体１１２のタンク取付部１１５に載置し、洗浄水タンク１２０をタンク取付部１１５に固定する。すなわち、洗浄水タンク１２０のボルト（図示省略）をタンク取付部１１５の取付穴１１５ｅ，１１５ｅに挿入するとともに、ボルトをナット（図示省略）で固定して洗浄水タンク１２０をタンク取付部１１５に固定する。
【００４７】
続いて、右及び左キャビネット１６０Ｒ，１６０Ｌをトイレ室の奥壁面ＴＷａに押しつけた状態で設置する。その後、前面パネル１５０を便器本体１１２に組み付ける。つまり、図２４に示すように前面パネル１５０の挿入用切欠き１５２をタンク取付部１１５の連結部１１５ｃに位置合わせして差し込む。これにより、前面パネル１５０は、挿入スペース１１５ｆ，１１５ｆに挿入されるとともに、挿入用切欠き１５２が連結部１１５ｃを跨いで便器本体１１２に取り付けられる。
【００４８】
そして、図２８に示すように、便器本体１１２を矢印方向ｄ３へ移動する。これにより、前面パネル１５０は、便器本体１１２の後部に押されて、右及び左キャビネット１６０Ｒ，１６０Ｌの前板部１６１Ｒ，１６１Ｌ側へ移動する。そして、前面パネル１５０が前板部１６１Ｒ，１６１Ｌにほぼ当接するまで移動すると、図２６に示すように、補強部材１３０の折曲当接部１３１ｂがトイレ室の奥壁面ＴＷａに当たるとともに、折曲当接部１３１ａが前面パネル１５０に当たって、前面パネル１５０の移動を規制する。このとき、補強部材１３０の矢印方向ｄ３の距離Ｌは、前面パネル１５０を設置する奥壁面ＴＷａからの距離に定められているから、補強部材１３０は、前面パネル１５０が前板部１６１Ｒ，１６１Ｌの前内側縁部１６１Ｒａ，１６１Ｌａに強く当たるのを規制する。これにより、便器本体１１２とともに前面パネル１５０を移動した際に、前面パネル１５０が前板部１６１Ｒ，１６１Ｌに強く押しつけられて、それらが変形したり、損傷することが防止される。
【００４９】
上記補強部材１３０の構成において、連通穴１３１ｅ及びガイド穴１３１ｆが長穴に形成されてタンク取付部１１５及び洗浄水タンク１２０に対して矢印方向ｄ３へスライド可能であり、この構成により以下の作用・効果が得られる。すなわち、洋式便器１１０は、陶器で形成されているために、公差寸法が前面パネル１５０や右及び左キャビネット１６０Ｒ，１６０Ｌに比べて大きい。仮に、補強部材１３０がタンク取付部１１５及び洗浄水タンク１２０に対して、矢印方向ｄ３のスライドができない構成とした場合には、補強部材１３０の固定位置が前過ぎると、前面パネル１５０と前板部１６１Ｒ，１６１Ｌとの間に隙間が形成され、組付がうまくいかず、一方、補強部材１３０の固定位置が後ろ過ぎると、前面パネル１５０が前板部１６１Ｒ，１６１Ｌに強く当たって、上述したような前面パネル１５０などの損傷を防止する効果が得られない。したがって、このように補強部材１３０をスライド可能に構成することにより、前面パネル１５０は、便器本体１１２の公差寸法に依存することなく、補強部材１３０の長さＬで定められる位置に、つまり前面パネル１５０を右及び左キャビネット１６０Ｒ，１６０Ｌに対して所望の組み付けを確実に行なうことができる。
【００５０】
また、補強部材１３０は、便器本体１１２に取り付けられ、比較的大きな部材であるから取り扱いが容易であり、便器本体１１２の移動の際に加えられる力に対しても機械的強度が強い。
【００５１】
なお、補強部材１３０の材質としては、特に限定されず、上記実施の形態のように金属製の薄板を打ち抜き形成するほか、樹脂により射出成形してもよい。また、補強部材１３０の上面または下面の一方または両方に、断熱材を装着することにより、便器本体１１２から洗浄水タンク１２０への冷却作用を緩和することができ、これにより洗浄水タンク１２０内の洗浄水の凍結を防止する効果を高めることができる。
【００５２】
図２９は他の実施の形態に係るタンク取付部１１５及び補強部材１３０Ｂの周辺部を一部破断した図である。補強部材１３０Ｂは、板本体１３１Ｂがその両側部から中央部にかけて下方向へ傾斜して形成されている点が図２７の実施の形態と異なり、他の構成はほぼ同一である。すなわち、板本体１３１Ｂの中央部には、洗浄水タンク１２０の給水口１２３を貫通させる連通穴１３１Ｂｅが形成されており、この連通穴１３１Ｂｅに向けて板本体１３１Ｂの両端から傾斜した傾斜面１３１Ｂｄが形成されている。この傾斜面１３１Ｂｄの構成により、補強部材１３０Ｂ上に水がかかっても通水孔１１５ｇを通じて排出されるから、補強部材１３０Ｂ上に溜まった水が凍結することもない。
【００５３】
図３０は洗浄水タンク１２０の上部を後方から見た斜視図であり、図３１は図３０の要部の拡大図である。これらの図において、前面パネル１５０の裏面の上部に、タンク固定金具１２４がその上端部でねじ止め固定されている。タンク固定金具１２４は、洗浄水タンク１２０の上部に左右対称に１対配置されており、その下端部が前面パネル１５０と所定間隙を隔てるように折曲された係止部１２４ｂとなっている。この係止部１２４ｂは、洗浄水タンク１２０の上部壁面を挟むことにより洗浄水タンク１２０を固定している。ここで、前面パネル１５０は、タンク取付部（図２４参照）に固定されるとともに、右及び左キャビネット１６０Ｒ，１６０Ｌの前板部１６１Ｒ，１６１Ｌで支持されていることから、洗浄水タンク１２０は、タンク固定金具１２４を介して前面パネル１５０と右及び左キャビネット１６０Ｒ，１６０Ｌと一体になって堅固に固定されることになる。これにより、洗浄水タンク１２０が傾くことが防止され、接続配管の接続部等のシール性が損なわれない。
【００５４】
図３２は手洗カウンタ１８０を外した状態を示す斜視図、図３３は図３２のｂ−ｂ線に沿った断面図である。手洗カウンタ１８０は、右及び左キャビネット１６０Ｒ，１６０Ｌの上部に設置されており、その左右方向及び前後方向に位置決めするための位置決め手段が設けられている。すなわち、図３３に示すように、手洗カウンタ１８０の前縁部の裏側には、係合突起１８１ａ，１８１ａが突設されている。係合突起１８１ａ，１８１ａは、前面パネル１５０の水平方向の幅ｗ２よりわずかに大きい距離で左右一対形成されている。
【００５５】
また、手洗カウンタ１８０の後縁部の裏面側には、係合溝１８１ｂ，１８１ｂを形成する突起が形成されている。この係合溝１８１ｂ，１８１ｂは、手洗カウンタ１８０の後縁部に沿って形成されている。一方、係合溝１８１ｂ，１８１ｂに対向する右及び左キャビネット１６０Ｒ，１６０Ｌの天板部１６２Ｒ，１６２Ｌには、係合突起１６２Ｒａ，１６２Ｌａが突設されている。この係合突起１８１ａ，１８１ａは上記係合溝１８１ｂ，１８１ｂに突入して嵌合するように形成されている。
【００５６】
手洗カウンタ１８０を設置するには、上記係合突起１８１ａ，１８１ａを前面パネル１５０の側辺部の上部を挟むように位置合わせするとともに、上記係合溝１８１ｂ，１８１ｂを天板部１６２Ｒ，１６２Ｌに形成した係合突起１６２Ｒａ，１６２Ｌａに位置合わせして載置する。これにより、手洗カウンタ１８０は、係合突起１８１ａ，１８１ａが前面パネル１５０の側辺部に当接することにより左右方向へ位置決めされ、一方、係合溝１８１ｂ，１８１ｂが係合突起１６２Ｒａ，１６２Ｌａに係合することにより前後方向に位置決めされる。このように手洗カウンタ１８０を載置するだけで右及び左キャビネット１６０Ｒ，１６０Ｌ上に確実に載置することができ、位置ずれを生じない。
【００５７】
なお、この発明は上記実施例に限られるものではなく、その要旨を逸脱しない範囲において種々の態様において実施することが可能であり、例えば次のような変形も可能である。
【００５８】
上記実施の形態にかかるトイレ用収納ボックス４０は、便器本体１２の後部にタンク取付部１５を形成し、このタンク取付部１５に載置した洗浄水タンク２０を収納しているが、これに限らず、洗浄水タンク２０を設置するための構成をトイレ用収納ボックス４０自体に形成し、洗浄水タンクと便器本体とを管体などで連結する構成であってもよい。
【図面の簡単な説明】
【図１】本発明の一実施の形態にかかるトイレ用収納ボックス４０を設置したトイレ室を示す斜視図。
【図２】図１の２−２線に沿った断面図。
【図３】洗浄水タンク２０及び前面パネル５０を設置する前の便器本体１２の後部を示す斜視図。
【図４】図３に示す便器本体１２の後部を拡大して示す斜視図。
【図５】右キャビネット６０Ｒを示す斜視図。
【図６】図５の６−６線に沿った断面図。
【図７】左キャビネット６０Ｌを示す斜視図。
【図８】前面パネル５０と前板部６１Ｒ，６１Ｌの配置関係を説明する説明図。
【図９】図８より前面パネル５０と前板部６１Ｒ，６１Ｌのオーバーラップを大きくした場合を説明する説明図。
【図１０】洋式便器１０を設置する施工作業を説明する説明図。
【図１１】排便管３１と排水ジョイント３２の接続工程を説明する説明図。
【図１２】排水ジョイント３２を便器本体１２の便器排出口１６ａに接続する工程を説明するための説明図。
【図１３】便器本体１２のタンク取付部１５に洗浄水タンク２０を設置する作業を説明するための断面図。
【図１４】トイレ用収納ボックス４０の組立作業を説明するための分解斜視図。
【図１５】便器本体１２の後部に前面パネル５０を取り付ける作業を説明する斜視図。
【図１６】前面パネル５０にタンク固定金具２４を固定する作業を説明するための斜視図。
【図１７】前面パネル５０にレバーハンドル２５を装着する作業を説明するための斜視図。
【図１８】前面パネル５０と洗浄水タンク２０との支持構造を説明するための説明図。
【図１９】便器本体１２を移動して前面パネル５０を固定する作業を説明する説明図。
【図２０】便器本体１２を前部及び後部固定片１８ａ，１８ｂに固定する作業を説明するための斜視図。
【図２１】トイレ用収納ボックス４０の間口を図１より狭くした状態を示す斜視図。
【図２２】図２１のトイレ用収納ボックス４０を図２に対応する状態で示す斜視図。
【図２３】他の実施の形態にかかるトイレ用収納体を一部分解して示す斜視図である。
【図２４】洗浄水タンク１２０を取り付ける前におけるタンク取付部１１５の付近を示す斜視図である。
【図２５】補強部材１３０を示す斜視図である。
【図２６】補強部材１３０をタンク載置部１１５ａに取り付けた状態を説明するための平面図である。
【図２７】図２６のａ−ａ線に沿った半断面図及びその要部の拡大図である。
【図２８】前面パネル１５０及び便器本体１１２を組み付ける作業を説明する説明図である。
【図２９】他の実施の形態に係るタンク取付部１１５及び補強部材１３０Ｂの周辺部を一部破断した図である。
【図３０】洗浄水タンク１２０の上部を後方から見た斜視図である。
【図３１】洗浄水タンク１２０の上部の支持構造を説明する斜視図である。
【図３２】手洗カウンタ１８０を外した状態を示す斜視図である。
【図３３】図３２のｂ−ｂ線に沿った断面図である。
【符号の説明】
Ｓｈ…型紙
ＴＦ…床面
ＴＷａ…奥壁面
１０…洋式便器
１１…ボール部
１２…便器本体
１３…便座
１４…便蓋
１５…タンク取付部
１５ａ…タンク載置部
１５ｂ…支持基部
１５ｃ…連結部
１５ｄ，１５ｄ…フランジ部
１５ｅ，１５ｅ…取付穴
１５ｆ，１５ｆ…挿入スペース
１５ｇ…通水孔
１５ｈ…傾斜部
１６ａ…便器排出口
１８ａ…前部固定片
１８ａ，１８ｂ…後部固定片
１８ｂ…後部固定片
１８ｃ…固定ビス
１８ｄ…座金
２０…洗浄水タンク
２２ａ…三角パッキン
２２ｂ…座金
２２ｃ…ナット
２２ｄ…ボルト
２３…給水口
２４…タンク固定金具
２４ａ…ビス
２５…レバーハンドル
２５ａ…スピンドル
２５ｂ…パッキン
２５ｃ…ナット
３０…給水管
３１…排便管
３２…排水ジョイント
３３ａ…ホースバンド
３３ｂ…ホースバンド
４０…トイレ用収納ボックス
５０…前面パネル
５０Ｓ…タンク設置スペース
５１ａ…パネル表面
５１ｂ…パネル裏面
５２…挿入用切欠き
５２ａ，５２ａ…側縁部
５２ｂ…上縁部
５３ｃ…右側縁部
５３ｄ…左側縁部
５４…角穴
６０Ｌ…左キャビネット
６０ＬＳ…収納スペース
６０Ｒ…右キャビネット
６０ＲＳ…収納スペース
６１Ｌ…前板部
６１Ｌａ…前内側縁部
６１Ｒ…前板部
６１Ｒａ…前内側縁部
６２Ｌ…天板部
６２Ｒ…天板部
６３Ｌ…側板部
６３Ｒ…側板部
６５…上収納棚
６５ａ…収納スペース
６５ｂ…上扉
６５ｃ…背板部
６５ｄ…取付穴
６６…下収納棚
６６ａ…収納スペース
６６ｂ…下扉
６６ｃ…背板部
６６ｄ…取付穴
６７ａ…固定ねじ
６８…点検用扉
６９ａ…Ｌ字形取付金具
６９ｂ…Ｌ字形取付金具
６９ｃ…取付ねじ
６９ｄ…取付ねじ
７０ａ，７０ａ…固定ビス
７１ａ，７１ａ…化粧キャップ
８０…手洗カウンタ
８１…手洗カラン
８２…手洗シンク
１１０…洋式便器
１１２…便器本体
１１５…タンク取付部
１１５ａ…タンク載置部
１１５ｃ…連結部
１１５ｅ，１１５ｅ…取付穴
１１５ｆ…挿入スペース
１１５ｇ…通水孔
１２０…洗浄水タンク
１２０ａ…タンク底部
１２３…給水口
１２４…タンク固定金具
１２４ｂ…係止部
１２５…位置決め突起
１２５ａ…ナット
１３０…補強部材
１３１…板本体
１３１ａ…折曲当接部
１３１ｂ…折曲当接部
１３１ｃ，１３１ｄ…台座辺部
１３１ｅ…連通穴
１３１ｆ…ガイド穴
１３０Ｂ…補強部材
１３１Ｂ…板本体
１３１Ｂｅ…連通穴
１３１Ｂｄ…傾斜面
１５０…前面パネル
１５０Ｓ…タンク設置スペース
１５２…挿入用切欠き
１６０Ｒ，１６０Ｌ…左キャビネット
１６１Ｒ，１６１Ｌ…前板部
１６１Ｒａ，１６１Ｌａ…前内側縁部
１６２Ｒ，１６２Ｌ…天板部
１６２Ｒａ，１６２Ｌａ…係合突起
１８０…手洗カウンタ
１８１ａ，１８１ａ…係合突起
１８１ｂ，１８１ｂ…係合溝
【図１】
0003637744.tif 000002
【図２】
0003637744.tif 000003
【図３】
0003637744.tif 000004
【図４】
0003637744.tif 000005
【図５】
0003637744.tif 000006
【図６】
0003637744.tif 000007
【図７】
0003637744.tif 000008
【図８】
0003637744.tif 000009
【図９】
0003637744.tif 000010
【図１０】
0003637744.tif 000011
【図１１】
0003637744.tif 000012
【図１２】
0003637744.tif 000013
【図１３】
0003637744.tif 000014
【図１４】
0003637744.tif 000015
【図１５】
0003637744.tif 000016
【図１６】
0003637744.tif 000017
【図１７】
0003637744.tif 000018
【図１８】
0003637744.tif 000019
【図１９】
0003637744.tif 000020
【図２０】
0003637744.tif 000021
【図２１】
0003637744.tif 000022
【図２２】
0003637744.tif 000023
【図２３】
0003637744.tif 000024
【図２４】
0003637744.tif 000025
【図２５】
0003637744.tif 000026
【図２６】
0003637744.tif 000027
【図２７】
0003637744.tif 000028
【図２８】
0003637744.tif 000029
【図２９】
0003637744.tif 000030
【図３０】
0003637744.tif 000031
【図３１】
0003637744.tif 000032
【図３２】
0003637744.tif 000033
【図３３】
0003637744.tif 000034